(57)【要約】【課題】携帯端末とアタッチメント装置とを用いた利便性の良い時間報知システムの提供。【解決手段】時間報知システムは、スケジュール管理機能を有する携帯型無線通信機器と、スケジュール管理機能で用いる報知時刻、音声情報、表示情報が入力され、それらの情報から設定データを生成する外部入力装置と、設定データが記憶され、携帯型無線通信機器に着脱自在に装着されるアタッチメント装置とから構成されている。そして、時間報知システムは、設定データを記憶したアタッチメント装置を携帯型無線通信機器に装着した状態で使用される。そのアタッチメント装置が装着された携帯型無線通信機器では、入力された報知時刻となった時に（Ｓ３２０、ＹＥＳ）、音声情報をスピーカから出力し、表示情報を表示パネルに表示する（Ｓ３３０）。【選択図】図９
2007208951.tif 000002
【特許請求の範囲】
【請求項１】
報知を行うべき報知時刻を少なくとも含む報知情報が記憶される記憶手段を有した接続ユニットと、
前記接続ユニットが着脱可能に接続される接続手段、時刻を計時する計時手段、前記接続ユニットが前記接続手段に接続された場合、前記接続ユニットの記憶手段に記憶された報知時刻と前記計時手段で計時される時刻とを比較し、その比較結果に基づいて報知情報を報知する報知手段を有した携帯端末と、
から構成されることを特徴とする時間報知システム。
【請求項２】
前記接続ユニットは、前記接続ユニット及び前記携帯端末とは別体に形成され、前記接続ユニットが接続される携帯端末よりも操作性の良い外部機器で生成された前記報知情報を取得する情報取得手段を備えることを特徴とする請求項１に記載の時間報知システム。
【請求項３】
前記記憶手段に記憶される報知情報は、前記報知時刻となった際に報知される音声の情報を含むものであり、
前記報知手段は、音声により報知することを特徴とする請求項１または請求項２に記載の時間報知システム。
【請求項４】
前記記憶手段に記憶される報知情報は、前記報知時刻となった際に報知される表示の情報を含むものであり、
前記報知手段は、表示により報知することを特徴とする請求項１ないし請求項３のいずれかに記載の時間報知システム。
【発明の詳細な説明】
【技術分野】
【０００１】
本発明は、携帯電話等の携帯端末に形成されたコネクタに着脱自在に接続された接続ユニットに関する。
【背景技術】
【０００２】
従来より、電話回線への接続、及びインターネットへの接続等の通信機能を有した携帯端末（例えば、携帯電話）に形成されたコネクタに着脱自在に装着可能なアタッチメント装置が知られている。
【０００３】
この種のアタッチメント装置として、携帯端末に装着されるだけで（即ち、使用者が携帯端末を操作することなく）、デジタルカメラ等の外部機器で形成されたデータを携帯端末を介して通信可能とするものが提案されている（例えば、特許文献１参照）。
【０００４】
つまり、従来のアタッチメント装置では、外部機器で形成されたデータを携帯端末を介して通信する際の利便性を向上させる試みがなされている。
【特許文献１】特開２００２−３３５３４４号公報
【発明の開示】
【発明が解決しようとする課題】
【０００５】
ところで、一般的な携帯端末には、例えば、スケジュール管理機能のように、通信機能の他にも様々な機能が備えられている。しかしながら、これらの機能は、操作に手間が必要であるため、使いこなせれば利用価値が高いものであるにも関わらず、十分に活用されているとは言い難い。
【０００６】
そこで、本発明は、携帯端末とアタッチメント装置とを用いて利便性の良い時間報知システムを提供することを目的とする。
【課題を解決するための手段】
【０００７】
上記目的を達成するためになされた請求項１に記載の時間報知システムは、報知を行うべき報知時刻を少なくとも含む報知情報が記憶される記憶手段を有した接続ユニットと、接続ユニットが着脱可能に接続される接続手段、時刻を計時する計時手段、接続ユニットが接続された場合、接続ユニットの記憶手段に記憶された報知時刻と計時手段で計時される時刻とを比較し、その比較結果に基づいて報知情報を報知する報知手段、を有した携帯端末とから構成されている。つまり、本発明の時間報知システムでは、接続ユニットが携帯端末に接続されていれば、接続ユニットの記憶手段に記憶された報知時刻となった時に報知情報を報知する。
【０００８】
このため、本発明の時間報知システムによれば、接続ユニットを携帯端末の接続手段に接続するだけで、使用者の手を煩わせることなく、携帯端末の機能を利用して報知時刻となったことを使用者に認識させることができ、使い勝手の良い時間報知システムを提供することができる。
【０００９】
例えば、本発明の時間報知システムは、役務の提供までに時間を要する商店などで、役務が提供されるまでの待ち時間の情報（即ち、役務の提供が開始される時刻に報知される報知情報）を記憶手段に記憶しておき、その接続ユニットを役務の提供を受ける人（即ち、客）が所有する携帯端末と接続するように用いても良い。このように本発明の時間報知システムを用いれば、役務の提供を受ける客は、待ち時間を有効に利用することができる。
【００１０】
また、請求項２に記載のように、本発明の時間報知システムでは、接続ユニット及び携帯端末とは別体に形成され、接続ユニットが接続される携帯端末よりも操作性の良い外部機器で生成された報知情報を取得する情報取得手段を、接続ユニットが備えていても良い。
【００１１】
本発明の時間報知システムによれば、外部機器を用いて報知情報を生成可能なため、接続ユニットを小型かつ簡易なものとすることができる。さらに、本発明の時間報知システムによれば、外部機器が携帯端末よりも操作性の良いものであるため、携帯端末を操作するよりも容易に報知情報を生成することができる。
【００１２】
例えば、本発明の時間報知システムは、ＰＣ等の外部機器を用いて生成された報知情報を複数の接続ユニットに記憶し、それらの接続ユニットを複数の人が、それぞれの携帯端末に接続するようにして用いても良い。このように本発明の時間報知システムを用いれば、複数の人が同一の報知情報を容易に共有することができる。
【００１３】
なお、報知情報は、報知時刻となった際に報知される音声の情報を含むもの、または報知時刻となった際に報知される表示の情報を含むものであっても良い。
前者の場合、請求項３に記載の時間報知システムのように、報知手段は、音声によって報知を行うことが望ましい。この場合、音声によって報知されることで、時間報知システムの使用者は、より確実に報知時刻を認識することができる。
【００１４】
また、後者の場合、請求項４に記載の時間報知システムのように、報知手段は、表示によって報知を行うことが望ましい。この場合、表示（例えば、文字情報やイラスト等の映像）によって報知されることで、時間報知システムの使用者は、報知内容を明確に認識することができる。
【発明を実施するための最良の形態】
【００１５】
以下に本発明の実施形態を図面と共に説明する。
〈時間報知システムの全体構成〉
図１（Ａ）、（Ｂ）は、本発明が適用された時間報知システムの外観を示す説明図である。
【００１６】
時間報知システムは、スケジュール管理機能を含む様々な機能を有する携帯型無線通信機器５１と、携帯型無線通信機器５１でのスケジュール管理機能を利用する際の各種設定等のデータを生成する外部入力装置１００と、外部入力装置１００で生成されたデータが記憶され、携帯型無線通信機器５１に着脱自在に装着されるアタッチメント装置１とを備えている。
【００１７】
外部入力装置１００は、少なくとも時刻を含むスケジュール等の設定情報を入力するために操作される入力部１０１と、入力部１０１で入力された設定情報から、アタッチメント装置１に記憶する設定データを生成する本体部１０２と、本体部１０２で生成された設定データを、転送用端子１０３（本実施形態では、ＵＳＢ端子とする）を介してアタッチメント装置１に転送するための転送ケーブル１０４とを備えている。
〈アタッチメント装置の構成〉
ここで、図２、３は、アタッチメント装置１の外観を示す外観図（図２（Ａ）は、正面図、図２（Ｂ）は、側面図、図３（Ａ）は、背面図、図３（Ｂ）は、上面図、図３（Ｂ）は、底面図）である。図４は、アタッチメント装置１の内部構成を示したブロック図である。
【００１８】
アタッチメント装置１は、携帯型無線通信機器５１を接続するための第一コネクタ１１と、外部入力装置１００の転送用端子１０３を接続するための第二コネクタ１５と、アタッチメント装置１とは別体に設けられた外部機器との間で近接無線通信を行うための無線処理回路２０と、第一コネクタ１１が携帯型無線通信機器５１に接続されると点灯するＬＥＤ２５と、携帯型無線通信機器５１に接続された旨等の各種情報を表示する表示部３０と、アタッチメント装置１の各部（無線処理回路２０、表示部３０等）を制御する制御部３５とを備えている。
【００１９】
そして、第二コネクタ１５は、外部入力装置１００の転送用端子１０３が接続されるＵＳＢ端子１６と、ＵＳＢ端子１６に転送用端子１０３が装着されたことを検知し、転送用端子１０３を介して入力される設定データを仲介するＵＳＢインターフェース（Ｉ／Ｆ）１７とを備えており、いわゆるＵＳＢポートとして構成されている。
【００２０】
また、第一コネクタ１１は、携帯型無線通信機器５１に着脱自在に構成され、携帯型無線通信機器５１に接続されると通電するように構成されている。
さらに、無線処理回路２０は、外部機器から送信される信号を受信するアンテナ２１を有している。
【００２１】
また、制御部３５は、アタッチメント装置１の各部（無線処理回路２０、表示部３０等）を制御するための制御プログラムが格納されるＦＬＡＳＨ  ＲＯＭ３６と、データが一時的に格納されるＲＡＭ３７と、制御プログラムを実行するＣＰＵ３８とから構成されている。
【００２２】
なお、アタッチメント装置１は、第一コネクタ１１、第二コネクタ１５、無線処理回路２０、制御部３５がシリアルバス４５を介して接続されており、ＣＰＵ３８からの指令に基づき、転送用端子１０３を介して設定データが転送されるように構成されている。
【００２３】
また、アタッチメント装置１には、制御部３５を含む装置各部に電力を供給する電源回路４０が備えられている。
次に、ＦＬＡＳＨ  ＲＯＭ３６に格納されるプログラムについて説明する。
【００２４】
ここで、図５は、アタッチメント装置１に備えられたＦＬＡＳＨ  ＲＯＭ３６の格納領域を示した模式図である。
まず、ＦＬＡＳＨ  ＲＯＭ３６は、電源が切断されても記憶内容（すなわち、各種プログラム及びデータ）を保持するものであり、記憶内容を書き換え可能な不揮発性メモリからなる。
【００２５】
そして、ＦＬＡＳＨ  ＲＯＭ３６は、ＣＰＵ３８がアタッチメント装置１の各部（無線処理回路２０、表示部３０等）を制御するための制御プログラムが格納されるプログラム格納エリア３６αと、外部入力装置１００から転送された設定データ、及びＣＰＵ３８の処理によって生成され、電源が切断されても記憶する必要のあるデータが格納されるデータ格納エリア３６βとからなる。
【００２６】
そして、プログラム格納エリア３６αに格納される制御プログラムには、携帯型無線通信機器５１の機種（型式）に応じて、設定データの形式を変換するデータ変換処理を行うためのデータ変換処理プログラム、及び携帯型無線通信機器５１との間で、データの通信を行うための通信プログラムが少なくとも含まれている。
【００２７】
つまり、アタッチメント装置１は、外部入力装置１００で入力された設定データを、転送用端子１０３を介してＦＬＡＳＨ  ＲＯＭ３６のデータ格納エリア３６βに格納、かつ第一コネクタ１１を介して接続された携帯型無線通信機器５１と電気信号の授受が可能に構成されている。
〈携帯型無線通信機器の構成〉
ここで、図６は、携帯型無線通信機器５１の内部構成を示すブロック図である。
【００２８】
携帯型無線通信機器５１は、公衆通信回線を介してデータの送受信を実行する通信処理回路５５と、アタッチメント装置１を通電可能に接続するための第三コネクタ８５と、時刻を計時する計時回路５８と、携帯型無線通信機器５１の状態等の情報を表示する表示部６０と、携帯型無線通信機器５１の状態に応じて点灯するＬＥＤ部６５と、音声データを復号または符号化する音声復号符号処理回路７０と、携帯型無線通信機器５１の各部を制御する制御部８０とを備えている。
【００２９】
通信処理回路５５は、公衆通信回線の通信局から送信されるデータを受信するためのアンテナ５６を有している。
そして、表示部６０は、画像を表示する表示パネル６１と、制御部８０からの信号を表示パネル６１に表示するための表示信号に変換する表示ドライバ６２とを備えている。
【００３０】
また、ＬＥＤ部６５は、通信処理回路５５でデータを受信すると発光するＬＥＤ６６と、制御部８０からの信号をＬＥＤ６６を発光させるための発光信号に変換するＬＥＤドライバ６７とを備えている。
【００３１】
さらに、音声復号符号処理回路７０には、音声復号符号処理回路７０で符号化される音声を入力するマイク７１と、音声復号符号処理回路７０で復号された音声を出力するスピーカ７２と、当該携帯型無線通信機器５１を連続的に振動させるモータ７３とが接続されている。
【００３２】
また、制御部８０は、携帯型無線通信機器５１の各部（通信処理回路５５、表示部６０等）を制御するための制御プログラムが格納されるＦＬＡＳＨ  ＲＯＭ８１と、データが一時的に格納されるＲＡＭ８２と、制御プログラムを実行するＣＰＵ８３とから構成されている。
【００３３】
そして、携帯型無線通信機器５１は、通信処理回路５５、計時回路５８、表示部６０、ＬＥＤ部６５、音声復号符号処理回路７０、制御部８０がシリアルバス９０を介して接続されており、第三コネクタ８５を介して、制御部８０がアタッチメント装置１を制御可能に構成されている。
【００３４】
次に、携帯型無線通信機器５１のＦＬＡＳＨ  ＲＯＭ８１に格納されるプログラムについて説明する。
ここで、図７は、携帯型無線通信機器５１に備えられたＦＬＡＳＨ  ＲＯＭ８１の格納領域を示した模式図である。
【００３５】
まず、ＦＬＡＳＨ  ＲＯＭ８１は、電源が切断されても記憶内容（すなわち、各種プログラム及びデータ）を保持するものであり、記憶内容を書き換え可能な不揮発性メモリからなり、ＣＰＵ８３が携帯型無線通信機器５１の各部（通信処理回路５５、表示部６０等）を制御するための制御プログラムが格納されるプログラム格納エリア８１αと、第三コネクタ８５を介してアタッチメント装置１から入力されるデータ、及びＣＰＵ８３の処理によって生成され、電源が切断されても記憶しておく必要のあるデータが格納される設定データ格納エリア８１βとからなる。
【００３６】
そして、プログラム格納エリア８１αに格納される制御プログラムには、通信処理回路５５、及び音声復号符号処理回路７０等を用いて、他の通信装置等と通信を行うための通信プログラム、アタッチメント装置１に入力された設定データを用いて、スケジュール管理を行う報知処理を実行するためのスケジュール報知処理プログラムが少なくとも含まれている。
【００３７】
なお、スケジュール報知処理プログラムは、時間報知システムを最初に使用する際に、携帯型無線通信機器５１の機種に対応するものを、アタッチメント装置１（もしくは、外部入力装置１００）からインストールするようにされている。
【００３８】
つまり、携帯型無線通信機器５１は、第三コネクタ８５を介してアタッチメント装置１を制御可能であり、ＣＰＵ８３が制御プログラムを実行することにより、スケジュール管理機能等の様々な機能を実現可能に構成されている。
【００３９】
なお、本実施形態では、携帯型無線通信機器５１として、周知の携帯電話を用いることとする。
〈時間報知システムの使用方法〉
次に、時間報知システムとしての外部入力装置１００、アタッチメント装置１、携帯型無線通信機器５１について説明する。
【００４０】
まず、外部入力装置１００では、入力部１０１が操作されることにより、携帯型無線通信機器５１に報知させる音声情報（例えば、電子音、音楽、メッセージ等）、携帯型無線通信機器５１の表示パネル６１に表示させる表示情報（例えば、文字、イラスト等）、音声情報及び表示情報を報知させる報知時刻が設定情報として入力される。
【００４１】
なお、本実施形態では、外部入力装置１００として、携帯型無線通信機器５１（即ち、携帯電話）よりも、操作性の良いパーソナルコンピュータ（ＰＣ）を用いることとする。
そして、外部入力装置１００では、入力された音声情報、表示情報、報知時刻から、設定データが生成され、その設定データが、転送用端子１０３を介してアタッチメント装置１に転送される。つまり、設定データは、音声情報をデータ化した音声情報データ、表示情報をデータ化した表示情報データ、報知時刻をデータ化した報知時刻データからなる。
【００４２】
なお、本実施形態の時間報知システムでは、設定データが転送された（即ち、ＦＬＡＳＨ  ＲＯＭ３６に格納された）アタッチメント装置１は、携帯型無線通信機器５１に装着された状態（即ち、アタッチメント装置１の第一コネクタ１１と携帯型無線通信機器５１の第三コネクタ８５とが接続された状態）で使用される。
【００４３】
次に、アタッチメント装置１が携帯型無線通信機器５１に装着された状態で実行される設定データ変換処理について説明する。
ここで、図８は、アタッチメント装置１のＣＰＵ３８が実行するデータ変換処理を示すフローチャートである。
【００４４】
このデータ変換処理は、アタッチメント装置１が携帯型無線通信機器５１に装着されると起動される。
そして、データ変換処理が起動されると、まず、Ｓ２１０では、当該アタッチメント装置１が装着された携帯型無線通信機器５１の機種を判別する機種判別処理を実行する。
【００４５】
より具体的に、本実施形態では、携帯型無線通信機器５１にインストールされているスケジュール報知処理プログラムの種類を判別することにより、携帯型無線通信機器５１の機種を判別し認識する。
【００４６】
続くＳ２２０では、ＦＬＡＳＨ  ＲＯＭ３６に格納されている設定データの中に含まれる報知時刻データを、Ｓ２１０で認識された携帯型無線通信機器５１の機種に応じた形式に変換し、報知時刻データを更新して、ＦＬＡＳＨ  ＲＯＭ３６のデータ格納領域に格納する。
【００４７】
また、Ｓ２３０では、ＦＬＡＳＨ  ＲＯＭ３６に格納されている設定データの中に含まれる音声情報データを、Ｓ２１０で認識された携帯型無線通信機器５１の機種に応じた形式に変換し、音声情報データを更新して、ＦＬＡＳＨ  ＲＯＭ３６のデータ格納領域に格納する。
【００４８】
さらに、Ｓ２４０では、ＦＬＡＳＨ  ＲＯＭ３６に格納されている設定データの中に含まれる表示情報データを、Ｓ２１０で認識された携帯型無線通信機器５１の機種に応じた形式に変換し、表示情報データを更新して、ＦＬＡＳＨ  ＲＯＭ３６のデータ格納領域に格納する。
【００４９】
つまり、Ｓ２２０からＳ２４０では、当該アタッチメント装置１が装着された携帯型無線通信機器５１にインストールされているスケジュール報知処理プログラムに対応するように、ＦＬＡＳＨ  ＲＯＭ３６に格納されている設定データの形式を変換する。ただし、予め携帯型無線通信機器５１の機種毎に、スケジュール報知処理プログラムの種類（即ち、設定データの種類）が対応付けられており、データ変換処理では、その対応関係に基づいて設定データが変換される。
【００５０】
続くＳ２５０では、当該アタッチメント装置１が装着された携帯型無線通信機器５１のスケジュール報知処理プログラムに対応するように、設定データの形式を変換したことを示す変換終了信号を、携帯型無線通信機器５１のＣＰＵ８３に対して送出する。その後、データ変換処理を終了する。
〈報知処理について〉
次に、アタッチメント装置１が携帯型無線通信機器５１に装着された状態で実行されるスケジュール報知処理について説明する。
【００５１】
ここで、図９は、携帯型無線通信機器５１のＣＰＵ８３が実行する報知処理の手順を示すフローチャートである。
この報知処理は、アタッチメント装置１のＣＰＵ３８から変換終了信号が出力されると起動されるものである。
【００５２】
そして、スケジュール報知処理が起動されると、まず、Ｓ３１０では、アタッチメント装置１のＦＬＡＳＨ  ＲＯＭ８１に格納された設定データの中から、報知時刻の最も早い報知時刻データを取得する。
【００５３】
続くＳ３２０では、計時回路５８で計時される時刻と、Ｓ３１０で取得された報知時刻データに示された時刻とが一致するか否かを判定する。そして、判定の結果、一致していないものと判断されると、一致するまで待機し、一致したものと判断されると、Ｓ３３０へと進む。
【００５４】
そのＳ３３０では、アタッチメント装置１のＦＬＡＳＨ  ＲＯＭ８１に格納された設定データの中から、音声情報データ及び表示情報データを取得し、音声情報をスピーカ７２を介して出力し、表示情報を表示パネル６１に表示させる。
【００５５】
続くＳ３４０では、アタッチメント装置１のＦＬＡＳＨ  ＲＯＭ８１に格納された全ての設定データを、報知したか否かを判定する。そして、判定の結果、未報知の設定データが存在するものと判断されると、Ｓ３１０へと戻る。
【００５６】
また、Ｓ３４０の判定の結果、未報知の設定データが存在しないものと判断されると、スケジュール報知処理を終了する。
〈本実施形態の効果〉
以上説明したように、本実施形態の時間報知システムでは、外部入力装置１００で生成された設定データが記憶されたアタッチメント装置１を、携帯型無線通信機器５１に装着することにより、携帯型無線通信機器５１におけるスケジュール報知処理が自動で実行される。
【００５７】
つまり、本実施形態の時間報知システムによれば、外部入力装置１００及びアタッチメント装置１を用いることで、携帯型無線通信機器５１を操作することなく、携帯型無線通信機器５１のスケジュール管理機能を利用することができ、この結果、従来のものに比べて、利便性の良いものとすることができる。
【００５８】
特に、本実施形態の時間報知システムによれば、携帯型無線通信機器５１よりも操作性の良い外部入力装置１００を用いて設定情報を入力することにより、携帯型無線通信機器５１の操作に不慣れな人であっても、スケジュール管理機能を手軽に利用することができる。
【００５９】
また、本実施形態の時間報知システムによれば、設定情報として音声情報及び表示情報を入力するため、それらの情報を報知内容（即ち、スケジュールの内容）とすることで、報知時刻における報知内容を使用者に明確に認識させることができる。
〈他の実施形態〉
以上、本発明の実施形態について説明したが、本発明は上記実施形態に限定されるものではなく、本発明の要旨を逸脱しない範囲において様々な態様にて実施することが可能である。
【００６０】
具体的に、上記実施形態の時間報知システムでは、入力部１０１を操作して入力される設定情報として、報知時刻、音声情報、表示情報を入力し、音声と表示とにより携帯型無線通信機器５１の使用者に報知しているが、これに限るものではない。例えば、設定情報として報知時刻のみを入力し、報知時刻となった時に、モータ７３を駆動し、携帯型無線通信機器５１を振動させることで報知しても良い。
【００６１】
つまり、設定情報として、少なくとも報知時刻が含まれており、時間報知システムの使用者（即ち、携帯型無線通信機器５１の所有者）に報知時刻となったことを認識させるために報知するものであれば良い。
【００６２】
また、上記実施形態の時間報知システムでは、外部入力装置１００としてパーソナルコンピュータ（ＰＣ）を用いているが、これに限るものではなく、専用の入力装置や他の情報端末を入力装置として用いても良い。
【００６３】
さらに、本実施形態の時間報知システムでは、携帯型無線通信機器５１として携帯電話を用いているが、これに限るものではなく、携帯情報端末（ＰＤＡ）、ＰＨＳ、モバイルパソコンを携帯型無線通信機器５１として用いても良い。
【００６４】
なお、上記実施形態の時間報知システムは、以下に示すように用いても良い。
例えば、役務の提供までに時間を要する商店（具体的には、混雑時の飲食店）等で、店員が外部入力装置１００を操作して、役務の提供が開始される時刻（即ち、報知時刻データ）を含む設定データをアタッチメント装置１に記憶させ、そのアタッチメント装置１を役務の提供を受ける人（即ち、客）が所有する携帯型無線通信機器５１に装着することで、本実施形態の時間報知システムを用いる。
【００６５】
このように時間報知システムを用いれば、客は、役務の提供が開始される時刻になったことを容易に認識することができ、役務が提供されるまでの待ち時間を有効に利用することができる。
【００６６】
また、例えば、代表者が設定情報を入力することにより外部入力装置１００で生成された設定データを、複数のアタッチメント装置１に記憶し、そのアタッチメント装置１を複数の人がそれぞれの携帯型無線通信機器５１に装着することで、本実施形態の時間報知システムを用いる。
【００６７】
このように時間報知システムを用いれば、共通の情報を認識する必要のある会議等のスケジュールを複数人が容易に共有することができる。
【図面の簡単な説明】
【００６８】
【図１】ＰＣ及びアタッチメント装置、携帯型無線通信機器からなる時間報知システムの概略を示す説明図である。
【図２】アタッチメント装置の外観を示す正面図及び側面図である。
【図３】アタッチメント装置の外観を示す背面図及び上面図、底面図である。
【図４】アタッチメント装置の簡易構成を示すブロック図である。
【図５】アタッチメント装置に備えられたＦＬＡＳＨ  ＲＯＭ格納領域を表す模式図である。
【図６】携帯型無線通信機器の簡易構成を示すブロック図である。
【図７】携帯型無線通信機器に備えられたＦＬＡＳＨ  ＲＯＭの格納領域を表す模式図である。
【図８】アタッチメント装置のＣＰＵが実行するデータ変換処理を示すフローチャートである。
【図９】携帯型無線通信機器のＣＰＵが実行する時刻報知処理を示すフローチャートである。
【符号の説明】
【００６９】
１…アタッチメント装置  １１…第一コネクタ  １５…第二コネクタ  １６…ＵＳＢ端子  ２０…無線処理回路  ２１…アンテナ  ３０…表示部  ４０…電源回路  ５１…携帯型無線通信機器  ５５…通信処理回路  ５６…アンテナ  ５８…計時回路  ６０…表示部  ６１…表示パネル  ６２…表示ドライバ  ６５…ＬＥＤ部  ６７…ＬＥＤドライバ  ７０…音声復号符号処理回路  ７１…マイク  ７２…スピーカ  ７３…モータ  ８５…第三コネクタ  １００…外部入力装置  １０１…入力部  １０２…本体部  １０３…転送用端子  １０４…転送ケーブル  ３５、８０…制御部  ３６、８１…ＦＬＡＳＨ  ＲＯＭ  ３７、８２…ＲＡＭ  ３８、８３…ＣＰＵ  ４５、９０…シリアルバス
【図１】
2007208951.tif 000003
【図２】
2007208951.tif 000004
【図３】
2007208951.tif 000005
【図４】
2007208951.tif 000006
【図５】
2007208951.tif 000007
【図６】
2007208951.tif 000008
【図７】
2007208951.tif 000009
【図８】
2007208951.tif 000010
【図９】
2007208951.tif 000011